(57)【要約】【課題】吸込具本体において発生し上面側を透過する騒音を低減することができる電気掃除機用吸込具を提供する。【解決手段】電気掃除機用吸込具において、底面に吸込口が設けられ後部にエルボー継手が接続されたケース部を有する吸込具本体を備え、ケース部は下ケースの上側に第１の上ケースが組み合わされた上でこれらの上側に第２の上ケースが固定されて構成され、下ケースは、その下面に吸込口となる開口が設けられるとともに、この開口と連通し下ケースを上下に貫通する貫通部が設けられ、第１及び第２の上ケースの間には前記貫通部の上方に空間部を形成した構成とする。【選択図】図６
2013031569.tif 000002
【特許請求の範囲】
【請求項１】
底面に吸込口が設けられ、後部にエルボー継手が接続されたケース部を有する吸込具本体を具備する電気掃除機用吸込具であって、
前記ケース部は、下ケースの上側に第１の上ケースが組み合わされ、これらの第１の上ケース及び下ケースの上側に、さらに、第２の上ケースが固定されて構成され、
前記下ケースは、その下面に前記吸込口となる開口が設けられるとともに、前記開口と連通し前記下ケースを上下に貫通する貫通部が設けられ、
前記第１の上ケースと前記第２の上ケースとの間には、前記下ケースの前記貫通部の上方に空間部を形成したことを特徴とする電気掃除機用吸込具。
【請求項２】
前記空間部は、前記吸込具本体の底面に平行な射影面において前記空間部を射影した形状が、少なくとも前記貫通部を前記射影面に射影した形状を含むように配置されることを特徴とする請求項１に記載の電気掃除機用吸込具。
【請求項３】
前記第１の上ケースの前記空間部が配置された部分に設けられた貫通孔を備えたことを特徴とする請求項１又は請求項２のいずれかに記載の電気掃除機用吸込具。
【請求項４】
前記空間部の内部に配置された吸音材を備えたことを特徴とする請求項３に記載の電気掃除機用吸込具。
【請求項５】
前記貫通孔の反前記空間部側の縁端部は滑らかなＲ形状であることを特徴とする請求項３又は請求項４のいずれかに記載の電気掃除機用吸込具。
【発明の詳細な説明】
【技術分野】
【０００１】
この発明は、電気掃除機用吸込具に関するものである。
【背景技術】
【０００２】
従来における電気掃除機用吸込具においては、吸込口を有する吸込具本体に接続されたエルボー継手部において発生する騒音を軽減することを目的とするものとして、エルボー継手部の吸込経路の下部内壁に、自在継手部内の流路断面積を小さくするための凸部を形成したものが知られている（例えば、特許文献１参照）。
【０００３】
また、吸込具本体の吸込口から吸い込まれた塵埃を含む空気が、吸込具本体からホースへと通じるエルボー継手内の塵埃通路を高速で通過する際において発生する騒音を軽減することを目的とするものとして、エルボー継手の内壁に棚リブを吸込口側へと延接し、エルボー継手の傾動時に吸込部本体と摺接する摺接壁をエルボー継手に設けて、棚リブと摺動壁とで空間部を形成し、空間部と塵埃通路とを連通する複数の孔を棚リブに設けたものが知られている（例えば、特許文献２参照）。
【先行技術文献】
【特許文献】
【０００４】
【特許文献１】特許第３５２８６８９号公報
【特許文献２】特許第３６２４６５３号公報
【発明の概要】
【発明が解決しようとする課題】
【０００５】
このように、特許文献１や特許文献２に示された従来における電気掃除機用吸込具は、吸込具本体に接続されたエルボー継手内の空気流を整流する凸部や棚リブを設けることで、エルボー継手で発生する騒音を軽減しようとするものである。
【０００６】
しかしながら、これらの従来における電気掃除機用吸込具においては、吸込具本体の吸込口から吸い込まれた空気が吸込具本体の上面部（上ケース）内側に衝突して発生する騒音については考慮されていないという課題がある。また、吸込具本体内に内蔵された回転ブラシを回転させる際の駆動音が吸込具本体の上面側（上ケース）を透過して電気掃除機の使用者へと伝わり、うるさく感じられてしまうという課題もある。
【０００７】
この発明は、このような課題を解決するためになされたもので、吸込口から吸い込まれた空気が吸込具本体の上面部（上ケース）内側に衝突して発生する騒音や吸込具本体の上面側（上ケース）を透過する回転ブラシの駆動音を低減することができる電気掃除機用吸込具を得るものである。
【課題を解決するための手段】
【０００８】
この発明に係る電気掃除機用吸込具は、底面に吸込口が設けられ、後部にエルボー継手が接続されたケース部を有する吸込具本体を具備する電気掃除機用吸込具であって、前記ケース部は、下ケースの上側に第１の上ケースが組み合わされ、これらの第１の上ケース及び下ケースの上側に、さらに、第２の上ケースが固定されて構成され、前記下ケースは、その下面に前記吸込口となる開口が設けられるとともに、前記開口と連通し前記下ケースを上下に貫通する貫通部が設けられ、前記第１の上ケースと前記第２の上ケースとの間には、前記下ケースの前記貫通部の上方に空間部を形成した構成とする。
【発明の効果】
【０００９】
この発明に係る電気掃除機用吸込具においては、吸込具本体において発生する騒音及び吸込具本体の上面側を透過する騒音を低減することができるという効果を奏する。
【図面の簡単な説明】
【００１０】
【図１】この発明の実施の形態１に係る電気掃除機の全体構成を示す図である。
【図２】この発明の実施の形態１に係る吸込具本体の斜視図である。
【図３】この発明の実施の形態１に係る吸込具本体の平面図である。
【図４】この発明の実施の形態１に係る吸込具本体の底面図である。
【図５】この発明の実施の形態１に係る吸込具本体の側面図である。
【図６】この発明の実施の形態１に係る吸込具本体の側方断面図である。
【図７】この発明の実施の形態１に係る吸込具本体を構成する第１の上ケースの平面図である。
【図８】この発明の実施の形態１に係る吸込具本体を構成する第２の上ケースの平面図である。
【図９】この発明の実施の形態１に係る第１の上ケースと第２の上ケースとを組み合わせた状態を示す平面図である。
【図１０】この発明の実施の形態１に係る吸込具本体を構成する下ケースの平面図である。
【図１１】この発明の実施の形態２に係る吸音材の斜視図である。
【図１２】この発明の実施の形態２に係る吸込具本体の側方断面図である。
【図１３】この発明の実施の形態２に係る図３中の断面イ−イで切断した断面図に相当する図である。
【発明を実施するための形態】
【００１１】
この発明を添付の図面に従い説明する。各図を通じて同符号は同一部分又は相当部分を示しており、その重複説明は適宜に簡略化又は省略する。
【００１２】
実施の形態１．
図１から図１０は、この発明の実施の形態１に係るもので、図１は電気掃除機の全体構成を示す図、図２は吸込具本体の斜視図、図３は吸込具本体の平面図、図４は吸込具本体の底面図、図５は吸込具本体の側面図、図６は吸込具本体の側方断面図、図７は吸込具本体を構成する第１の上ケースの平面図、図８は吸込具本体を構成する第２の上ケースの平面図、図９は第１の上ケースと第２の上ケースとを組み合わせた状態を示す平面図、図１０は吸込具本体を構成する下ケースの平面図である。
【００１３】
図１において、１は、吸込具本体である。この吸込具本体１の底面には、床面等の被清掃面上のごみや塵埃を含んだ空気（含塵空気）を吸い込むための吸込口１ａが設けられている。吸込具本体１には、中空円筒状の吸引パイプ２の一端が接続されている。そして、この吸引パイプ２の他端には、可撓性を有する蛇腹状のホース３の一端が、中途で折曲された形状の接続パイプを介して接続されている。
【００１４】
このホース３の他端は、掃除機本体４に接続されている。掃除機本体４内には、掃除機本体４の外部から内部に流入した含塵空気中のごみ（塵埃）を捕捉して集める集塵部４ａが設けられている。そして、吸込具本体１の吸込口１ａから掃除機本体４の集塵部４ａまでが、吸引パイプ２及びホース３を経由して連通され、吸込具本体１、吸引パイプ２及びホース３は、含塵空気を掃除機本体４の外部から内部に流入させるための吸引経路を構成している。
【００１５】
また、掃除機本体４には、電動送風機４ｂが内蔵されている。この電動送風機４ｂは、吸込具本体１の吸込口１ａから吸引パイプ２及びホース３を経由して掃除機本体４の集塵部４ａへと含塵空気を吸引する吸引動作を駆動するためのものである。なお、吸引パイプ２の他端側には、掃除機本体４の運転を制御する操作スイッチが配置された把持部５が設けられている。電気掃除機の使用者は、使用時においてこの把持部５を持つことにより掃除機本体４を引き回す。
【００１６】
図２から図５に吸込具本体１の外観を示す。吸込具本体１は、第１の上ケース６及び第２の上ケース７並びに下ケース８が組み合わされて構成されたケース部と、このケース部の後部に接続されたエルボー継手９と、を有している。吸込具本体１は、エルボー継手９を介して吸引パイプ２に着脱自在に接続される。このエルボー継手９は、ケース部に対して上下方向に所定の角度で傾動が可能に取り付けられるとともに、さらに、前記傾動の軸に対して直交する軸を中心にして回動自在な構造を有している。
【００１７】
ケース部は、下ケース８の上側に第１の上ケース６が組み合わされ、これらの第１の上ケース６及び下ケース８の上側に、さらに、第２の上ケース７が固定されて構成されている。また、ケース部内には、被清掃面上の塵埃を掻き取るための回転ブラシ１０が、吸込口１ａを臨むようにして設けられている。回転ブラシ１０は、ケース部内に収容されたモータにより、その回転が駆動される。なお、回転ブラシ１０を回転駆動する動力装置として、吸引力により生じる気流を活用するタービンを用いるものもあるが、本実施の形態においては、動力装置としてモータを用いたもので説明する。
【００１８】
下ケース８は、図４、図６及び図１０に示すように、その下面に吸込口１ａとなる開口が設けられており、吸込口１ａの上方に、回転ブラシ１０の断面形状に沿った略アーチ状断面を有するブラシ収容部８ｂが設けられている。そして、下ケース８のほぼ中央には、吸込口１ａと連通し下ケース８を上下に貫通する貫通部８ａが穿設されている。
【００１９】
第１の上ケース６は、図６及び図７に示すように、その上面のほぼ中央に、窪んだ領域が形成されている。そして、この窪んだ領域内においては、第１の上ケース６の上面側と下面側とを貫通する複数の貫通孔６ａが穿設されている。
【００２０】
図８に示す第２の上ケース７は、第１の上ケース６の上面全範囲を覆うのではなく、第１の上ケース６と組み合わされたときに図９に示すように第１の上ケース６の一部を覆うようにして設けられる。すなわち、第２の上ケース７は、第１の上ケース６の上面に設けられた窪んだ領域を少なくとも覆うようにして、第１の上ケース６の上面側に配置される。
【００２１】
そして、組み立ての際には、まず、第１の上ケース６の上面の所定位置に第２の上ケース７を固着して図９の状態とした上で、第１の上ケース６及び第２の上ケース７の組立体と下ケース８とを組み合わせて、吸込具本体１のケース部を完成する。なお、第１の上ケース６及び第２の上ケース７の組立体と下ケース８とを組み合わせる際には、エルボー継手９及び回転ブラシ１０も併せて吸込具本体１に取り付けられる。この際、回転ブラシ１０は、下ケース８のブラシ収容部８ｂ部分に収容された状態に配置される。
【００２２】
このようにして組み立てられた吸込具本体１の構成を、図６の断面図を参照しながら説明する。まず、以上のようにして組み立てられた吸込具本体１においては、吸込口１ａから下ケース８の貫通部８ａを経由して、エルボー継手９のケース部側の端部に設けられた継手開口部９ａまでが連通された状態である。
【００２３】
そして、第１の上ケース６と第２の上ケース７との間には、空間部１１が形成されている。この空間部１１は、第１の上ケース６の上面と第２の上ケース７の端部とが接するとともに、第１の上ケース６の窪んだ領域の周縁と第２の上ケース７の下面とが接することにより、第１の上ケース６と第２の上ケース７との間に挟まれた部分に形成される。この空間部１１は、下ケース８の貫通部８ａの上方に配置されている。より詳しくは、吸込具本体１の底面に平行な射影面において空間部１１を射影した形状が、下ケース８の貫通部８ａを前記射影面に射影した形状を含むように、空間部１１が配置されることが望ましい。
【００２４】
このように構成された吸込具本体１においては、掃除機本体４の電動送風機４ｂが動作すると、電動送風機４ｂにより生み出された負圧が、ホース３から吸引パイプ２へと伝播して、吸込具本体１の吸込口１ａにおいて被清掃面近傍の含塵空気を吸引する力が生まれる。そして、こうして吸込具本体１の吸込口１ａから吸引された含塵空気は、下ケース８の貫通部８ａを通過して継手開口部９ａからエルボー継手９を経由して吸引パイプ２へと至って最終的に掃除機本体４へと吸引される。
【００２５】
この際に、吸込口１ａから吸引され継手開口部９ａに至る空気流は、下ケース８の貫通部８ａを通過した後、吸込具本体１の後方にある継手開口部９ａに達するため、吸込口１ａから貫通部８ａを通過した後、空気流の方向が吸込具本体１のケース部内にて、上向きから後向きへと変えられることになる。そして、この空気流の方向の変換において、貫通部８ａを通過した後、第１の上ケース６の下面に衝突する成分が少なからず存在する。
【００２６】
この空気流の第１の上ケース６への衝突が、掃除機本体４の動作時に吸込具本体１における騒音の発生の一因となっているが、この貫通部８ａを通過した空気流が衝突する箇所に形成された空間部１１の作用により、ケース部の上面（第１の上ケース６及び第２の上ケース７）を透過する騒音を低減することができる。
【００２７】
また、さらに、第１の上ケース６に設けられた貫通孔６ａによって、貫通部８ａから継手開口部９ａに至る空気流の経路と空間部１１とは接続されているため、空気流の衝突等により発生する空気圧の変動を緩和することができ、第１の上ケース６への空気流の衝突等による騒音の発生自体を抑制することが可能である。また、ここで、貫通孔６ａの反空間部１１側の縁端部の角を取って滑らかなＲ形状とすることにより、貫通部８ａから継手開口部９ａに至る空気流に含まれる塵埃等が貫通孔６ａに引っかかることを防止することができる。
【００２８】
ところで、吸込具本体１において発生する騒音としては、他に回転ブラシ１０の回転に伴うものもある。この際、吸込具本体１のケース部内にある回転ブラシ１０の回転により発生した騒音のうち、電気掃除機の使用者の耳にまで届くものは吸込具本体１のケース部の上面を透過してきたものが多いが、吸込具本体１のケース部の上面に第１の上ケース６及び第２の上ケース７により形成された空間部１１の作用により、ケース部の上面（第１の上ケース６及び第２の上ケース７）を透過する回転ブラシ１０に起因する騒音も低減することができる。
【００２９】
なお、ここでは、第１の上ケース６に空間部１１とケース部内の空気流の経路とを繋ぐ貫通孔６ａを設けたが、この貫通孔６ａは必ずしも設けなくともよい。貫通孔６ａを設けない場合には、上述した空気圧の変動を緩和する効果は得られなくなるものの、空間部１１が完全に密閉された空気層となるため、ケース部上面を透過しようとする音波を減衰させる効果が増すことが期待できる。
【００３０】
実施の形態２．
図１１から図１３は、この発明の実施の形態２に係るもので、図１１は吸音材の斜視図、図１２は吸込具本体の側方断面図、図１３は図３中の断面イ−イで切断した断面図に相当する図である。
【００３１】
ここで説明する実施の形態２は、前述した実施の形態１の構成において、吸込具本体ケース部上面に設けられた空間部に吸音材を配置したものである。
【００３２】
すなわち、図１２及び図１３に示すように、第１の上ケース６及び第２の上ケース７の間に形成された空間部１１には、図１１に示すような吸音材１２が配置されている。この吸音材１２には、独立発泡材等の多孔質の素材（例えば、ウレタンやフェルト等）や、防振ゴム等の防振材の素材が用いられている。その他の構成については実施の形態１と同様であって、その詳細説明は省略する。
【００３３】
このように構成された吸込具本体１においては、実施の形態１と同様に、空間部１１の作用により、ケース部の上面（第１の上ケース６及び第２の上ケース７）を透過する騒音（空気流の衝突に起因するものや回転ブラシ１０に起因するものを含む）を低減することができる。そして、この際、空間部１１に収容された吸音材１２により透過しようとする音波を吸収する、あるいは、減衰させることができ、さらなる騒音低減効果を得ることができる。
【００３４】
また、第１の上ケース６の空間部１１部分には貫通孔６ａが設けられているため、貫通部８ａから継手開口部９ａに至る空気流の経路における空気圧の変動が、貫通孔６ａを通じて空間部１１に導入され、この空間部１１に配置された吸音材１２により空気圧の変動（すなわち音波）を効果的に吸収するこが可能である。従って、この実施の形態２においては、第１の上ケース６に貫通孔６ａを設けることが好ましい。
【符号の説明】
【００３５】
１    吸込具本体
１ａ  吸込口
２    吸引パイプ
３    ホース
４    掃除機本体
４ａ  集塵部
４ｂ  電動送風機
５    把持部
６    第１の上ケース
６ａ  貫通孔
６ｂ  リブ
７    第２の上ケース
８    下ケース
８ａ  貫通部
８ｂ  ブラシ収容部
９    エルボー継手
９ａ  継手開口部
１０    回転ブラシ
１１    空間部
１２    吸音材
【図１】
2013031569.tif 000003
【図２】
2013031569.tif 000004
【図３】
2013031569.tif 000005
【図４】
2013031569.tif 000006
【図５】
2013031569.tif 000007
【図６】
2013031569.tif 000008
【図７】
2013031569.tif 000009
【図８】
2013031569.tif 000010
【図９】
2013031569.tif 000011
【図１０】
2013031569.tif 000012
【図１１】
2013031569.tif 000013
【図１２】
2013031569.tif 000014
【図１３】
2013031569.tif 000015